(57)【要約】【課題】スタンド型看板装置による広告・宣伝機能を大幅に向上させることを可能とする。【解決手段】支持枠体１における少なくとも広告表示部４を含む外部露出面を透明又は半透明の材質からなる表面被覆板３により形成するとともに、前記支持枠体１の内部に内照手段を設けたことによって、広告表示部４を含む透明又は半透明の表面被覆板３を内照手段により内部側から照らした発光状態とし、広告表示部４に取り付けられた広告記載媒体５の文字・図形等の視認性を夜間や雨天等の不良視界時においても良好化するとともに、支持枠体自体も発光状態として人の注意を惹起する機能を向上させるように構成したもの。【選択図】図１
0003133275.tif 000002
【実用新案登録請求の範囲】
【請求項１】
移動可能に構成された支持枠体の広告表示部に広告記載媒体が取り付けられた内照式スタンド型看板装置であって、
前記支持枠体における少なくとも前記広告表示部を含む外部露出面が、透明又は半透明の材質からなる表面被覆板により覆われているとともに、
前記支持枠体の内部には、前記広告表示部及び前記表面被覆板を内部側から照らして発光させる内照手段が設けられていることを特徴とする内照式スタンド型看板装置。
【請求項２】
前記透明又は半透明の材質からなる表面被覆板が、前記支持枠体の背面を除くほぼ全面に配置されていることを特徴とする請求項１記載の内照式スタンド型看板装置。
【請求項３】
前記広告表示部は、前記広告記載媒体が交換可能となるように構成されていることを特徴とする請求項１記載の内照式スタンド型看板装置。
【請求項４】
前記支持枠体には、当該支持枠体を安定化する補助脚が折りたたみ格納可能に取り付けられていることを特徴とする請求項１記載の内照式スタンド型看板装置。
【考案の詳細な説明】
【技術分野】
【０００１】
本考案は、支持枠体の広告表示部に広告記載媒体が取り付けられた内照式スタンド型看板装置に関する。
【背景技術】
【０００２】
一般に、広告・看板（サイン）の分野において使用されているスタンド型看板装置は、所望の場所に立設させた状態に置かれる支持枠体の一部または全面に、文字や図形などが描かれた広告表示部を備えたものである（例えば下記の特許文献１参照）。このようなスタンド型看板装置は、他の大規模看板装置のような大掛かりな設置工事が不要であり、室内外の種々の場所に移動させて簡易に設置することができるという利点がある。
【０００３】
しかしながら、従来から用いられているスタンド型看板装置では、広告すべき内容を表した文字・図形等からなる広告・宣伝情報が、支持枠体の広告表示部に対して印刷や貼り付けなどにより表示されているに過ぎず、上述したように簡易性に優れる利点はあるものの、広告・宣伝機能、つまり商品や商店のアピール性にやや劣る傾向がある。
【０００４】
【特許文献１】特開平８−２６３００２号公報
【考案の開示】
【考案が解決しようとする課題】
【０００５】
そこで本考案は、広告・宣伝機能を大幅に向上させることができるようにした内照式スタンド型看板装置を提供することを目的とする。
【課題を解決するための手段】
【０００６】
上記目的を達成するため、本考案にかかる内照式スタンド型看板装置では、移動可能に構成された支持枠体の広告表示部に広告記載媒体が取り付けられた内照式スタンド型看板装置であって、前記支持枠体における少なくとも前記広告表示部を含む外部露出面が、透明又は半透明の材質からなる表面被覆板により覆われているとともに、前記支持枠体の内部には、前記広告表示部及び前記表面被覆板を内部側から照らして発光させる内照手段が設けられている。
【０００７】
このような構成を有する本考案にかかる内照式スタンド型看板装置によれば、広告表示部を含む透明又は半透明の外部露出面を構成している表面被覆板が内照手段により発光状態になされるため、広告表示部に取り付けられた広告記載媒体の文字・図形等について夜間や雨天等の不良視界時においても良好な視認性を発揮するとともに、発光状態になされた支持枠体自体が、人の注意を惹き付ける機能を有する。
【０００８】
また、本考案にかかる内照式スタンド型看板装置では、前記透明又は半透明の材質からなる表面被覆板が、前記支持枠体の背面を除くほぼ全面に配置された構成とすることが可能である。
【０００９】
このような構成を有する本考案にかかる内照式スタンド型看板装置によれば、支持枠体のほぼ全面が発光状態になされることから、人の注意を惹起する機能が更に向上されるようになっている。
【００１０】
さらに、本考案にかかる内照式スタンド型看板装置では、前記広告表示部は、前記広告記載媒体が交換可能となるように構成することが可能である。
【００１１】
このような構成を有する本考案にかかる内照式スタンド型看板装置によれば、広告の内容を変更する場合において、装置全体を交換することなく広告記載媒体のみを交換すればよいのことから極めて経済的なものとなる。
【００１２】
さらにまた、本考案にかかる内照式スタンド型看板装置では、前記支持枠体には、当該支持枠体を安定化する補助脚が折りたたみ格納可能に取り付けた構成とすることが可能である。
【００１３】
このような構成を有する本考案にかかる内照式スタンド型看板装置によれば、補助脚が使用されることによって支持枠体の安定化が図られるとともに、補助脚が折りたたみ格納されることによって装置全体の移動等が容易化される。
【考案の効果】
【００１４】
以上のように本考案にかかる内照式スタンド型看板装置は、支持枠体における少なくとも広告表示部を含む外部露出面を透明又は半透明の材質からなる表面被覆板により形成するとともに、前記支持枠体の内部に内照手段を設けたことによって、広告表示部を含む透明又は半透明の外部露出面を内照手段により内部側から照らした発光状態とし、広告表示部に取り付けられた広告記載媒体の文字・図形等の視認性を夜間や雨天等の不良視界時においても良好化するとともに、支持枠体自体も発光状態として人の注意を惹起する機能を向上させるように構成したものであるから、商品や商店のアピール性を大幅に向上させて広告・宣伝機能を大幅に向上させることができ、スタンド型看板装置の機能性および有用性を飛躍的に高めることができる。
【考案を実施するための最良の形態】
【００１５】
以下、本考案の実施の形態を図面に基づいて説明する。
まず、図１ないし図４に示されている本考案にかかる第１の実施形態における内照式スタンド型看板装置に使用されている支持枠体１は、側面視において略台形状をなすように形成されており、略四角柱状をなす下半部分の上部側に略三角柱状をなす上半部分が連設された構造になされている。
【００１６】
具体的には、上記支持枠体１の下縁部分は略水平に延在するように設けられており、その下縁部分に複数のキャスター２が取り付けられている。そして、それら複数のキャスター２によって、上記支持枠体１の全体が任意の場所に移動可能となるように構成されている。
【００１７】
また、上記支持枠体１の背面側部分（図１の左面側部分）は、略鉛直方向に延在するように形成されているが、当該支持枠体１の前面側部分（図１の右面側部分）では、下面側から高さ方向の略中央部分まで略鉛直方向に一旦立ち上げられた後に、その高さ方向の略中央部分から背面側に向かって傾斜して延在するように形成されている。本実施形態における傾斜角度は、鉛直方向に対して略４５度の角度をなすように設定されている。
【００１８】
また、上述した支持枠体１の外側表面には、透明又は半透明の材質からなる表面被覆板３が取り付けられており、当該支持枠体１の背面部（図３参照）を除く全面が、上述した表面被覆板３により覆われた状態になされている。このとき、上記支持枠体１としては、例えばアルミ角パイプを梁部材として使用したものが採用されているとともに、上記表面被覆板３としては、例えば厚さ５ｍｍのアクリル乳半が用いられている。
【００１９】
さらに、上述した支持枠体１における上部前面側（図１の右方面側）の傾斜部分は、広告表示部４になされている。この傾斜面からなる広告表示部４には、額縁状をなす取付枠体４ａが取り付けられているとともに、その取付枠体４ａに対して、広告すべき内容を表した文字・図形等からなる広告・宣伝情報が描かれた広告記載媒体５が、後述するように交換可能に取り付けられている。なお、その広告表示部４以外の正面下部や両側部の各表面被覆板３に対しては、固定的な公告表示を行うことが可能である。
【００２０】
上記額縁状をなすように形成された取付枠体４ａは、正面略矩形の４辺部を備えた環状構造体からなるものであって、上述した支持枠体１の広告表示部４に、ポピック等の小円筒状部材からなる複数の固定支持部材４ｂを介して取り付けられている。そして、その取付枠体４ａの内周縁側に対して前記広告記載媒体５の外周縁部が装着された状態で、ピン又はネジなどのポピックキャップ等からなる挿入部材４ｃが、上記固定支持部材４ｂ内に押し込み又はネジ回すようにして嵌合されることにより、上記取付枠体４ｃに対して上記広告記載媒体５が取り付けられるようになっている。なお、取り付けられた広告記載媒体５の外表面側には、ポリカーボネード等の透明体（厚さ２ｍｍ）からなる保護板５ａが装着される。
【００２１】
一方、上述したポピックキャップ等からなる挿入部材４ｃが、固定支持部材４ｂから抜き出し又はネジ回すようにして離脱された場合には、上記保護板５ａ及び広告記載媒体５が取付枠体４ａから取り外し可能な自由状態となることから、新たな広告内容が描かれた広告記載媒体５’が上記取付枠体４ａに装着され、それによって広告記載媒体の交換が行われるようになっている。
【００２２】
また、上述した支持枠体１の背面側には、特に図３に示されているようにアルミ板等からなる背面板６が固定されているとともに、その背面板６の下半部分に、上下方向にスライド可能となるように開閉扉７が設けられている。そして、その開閉扉７が上方に向かって開放されることによって、上記支持枠体１の内部に配置された光源（図示省略）の交換が可能となっている。
【００２３】
すなわち、上述した支持枠体１の内部側には、前記広告表示部４を含む表面被覆板３を内部側から照らす内照手段としての光源（図示省略）が設けられている。この光源は、いわゆる内照式看板装置の光源を構成するものであって、蛍光灯やシリカ電球などの多種多様な発光体を使用することが可能である。そして、この光源から出射された光は、上述した広告表示部４を含む表面被覆板３を通して外部側に向かって発光されるようになっている。
【００２４】
このような構成を有する本実施形態にかかる内照式スタンド型看板装置によれば、広告表示部５を含む外部露出面を構成している透明又は半透明の表面被覆板３が、内照手段としての光源により支持枠体１の内部側から照らされることとなり、広告表示部４に取り付けられた広告記載媒体５に描かれた文字・図形等について、夜間や雨天等の不良視界時においても良好な視認性が発揮される。また、支持枠体１自体が発光状態になれさることから、人の注意を惹起する機能が向上されるようになっている。
【００２５】
このとき、特に本実施形態にかかる内照式スタンド型看板装置においては、透明又は半透明の材質からなる表面被覆板３が、支持枠体１の背面を除くほぼ全面に配置されていることから、支持枠体１の底面側を含むほぼ全面が発光状態となり、それによって人の注意を惹起する機能が更に向上されるようになっている。
【００２６】
また、本実施形態にかかる内照式スタンド型看板装置では、広告表示部４に対して広告記載媒体５が交換可能となるように構成されていることから、装置全体を交換することなく広告記載媒体５のみを交換することによって広告内容が変更され、経済的優れたものとすることが可能となる。
【００２７】
一方、図５及び図６に示された実施形態は、支持枠体１１及びその支持枠体１１に取り付けられた表面被覆板１３の頂部が平面状をなすように形成されている点において上述した実施形態と異なっている。また、本実施形態における支持枠体１１の前面側下半部分には、当該支持枠体１１の姿勢を安定化するための補助脚２１が折りたたみ格納可能に取り付けられている。
【００２８】
すなわち、上記補助脚２１は、前記支持枠体１１の前面側の適宜の高さ位置に略水平に延在するように固定された脚支持部２１ａに対して、第１蝶番２１ｂを介して第１リンク２１ｃの一端部分が回動自在に取り付けられているとともに、その第１リンク２１ｃの揺動端部分に第２蝶番２１ｄを介して第２リンク２１ｅの一端部分が回動自在に取り付けられた構成になされている。
【００２９】
そして、図５に示された補助脚２１の使用状態では、当該補助脚２１の第１リンク２１ｃが前方側（図示の右方側）に向かって張り出すように回動されて略水平状態になされるとともに、前記第２リンク２１ｅが下方に向かって張り出すように回動されて略鉛直状態になされる。このように補助脚２１を前方側に張り出した使用状態とすることによって、前記支持枠体１１の全体が当該補助脚２１にて極めて安定的に保持される。
【００３０】
一方、図６に示された補助脚２１の格納状態では、当該補助脚２１の第１リンク２１ｃ及び第２リンク２１ｅが、支持枠体１１の前面側に傾斜配置された広告表示部２４の前面側に引き込まれており、そのように回動させて折りたたんだ格納状態になされることによって、装置全体がコンパクトにまとめられて容易に移動可能な状態になされるようになっている。
【００３１】
さらに、本実施形態における広告表示部２４の傾斜面上には、額縁状をなす取付枠体２４ａが設けられているが、その取付枠体２４ａの各辺部には、例えば図７に示されているような開放可能に構成された可動縁部２４ａ１が設けられている。すなわち、この可動縁部２４ａ１は、上述した支持枠体１１の広告表示部２４に固定された固定縁部２４ａ２に対して、前面側（図７の上方側）に向かって回動可能となるようにされるようにピボット接合されている。そして、その可動縁部２４ａ１を開放状態とすることによって前記広告記載媒体２５が取付枠体２４ａから取り外し可能な自由状態となり、新たな広告内容が描かれた広告記載媒体２５’が上記取付枠体２４ａに装着されて広告記載媒体の交換が行われるようになっている。
【００３２】
このような構成を有する本実施形態にかかる内照式スタンド型看板装置においては、上述した実施形態の作用・効果に加えて、補助脚２１が張り出された使用状態になされることによって装置全体が極めて安定的に支持されるとともに、補助脚２１が引き込まれた格納状態になされることによって装置全体の移動性が向上されるようになっている。
【００３３】
以上、本考案者によってなされた考案を実施形態に基づいて具体的に説明したが、本考案は上記実施形態に限定されるものではなく、その要旨を逸脱しない範囲で種々変形可能であるというのは言うまでもない。
【００３４】
例えば、上述した実施形態では、支持枠体のほぼ全面を透明又は半透明とした内照構造が採用されているが、少なくとも広告表示部について内照構造になっていればよい。
【産業上の利用可能性】
【００３５】
本考案は、多種多様な構造を備えたスタンド型看板装置に対して広く採用することが可能である。
【図面の簡単な説明】
【００３６】
【図１】本考案の一実施形態における内照式スタンド型看板装置の使用状態における構造を表した側面説明図である。
【図２】図１に表された内照式スタンド型看板装置の正面説明図である。
【図３】図１に表された内照式スタンド型看板装置の背面説明図である。
【図４】図１に表された内照式スタンド型看板装置の広告交換状態における構造を表した側面説明図である。
【図５】本考案の他の実施形態における内照式スタンド型看板装置の使用状態であって広告交換状態を表した側面説明図である。
【図６】図５に表された内照式スタンド型看板装置の補助脚格納状態を表した側面説明図である。
【図７】図５及び図６に表された内照式スタンド型看板装置に用いられている取付枠体の構造を表した横断面説明図である。
【符号の説明】
【００３７】
１  支持枠体
２  キャスター
３  表面被覆板
４  広告表示部
４ａ  取付枠体
４ｂ  固定支持部材
４ｃ  挿入部材
５，５’  広告記載媒体
５ａ  保護板が装着される。
６  背面板
７  開閉扉
１１  支持枠体
１３  表面被覆板
２１  補助脚
２１ａ  脚支持部
２１ｂ  第１蝶番
２１ｃ  第１リンク
２１ｄ  第２蝶番
２１ｅ  第２リンク
２４  広告表示部
２４ａ  取付枠体
２４ａ１  可動縁部
２４ａ２  固定縁部
２５，２５’  広告記載媒体
【図１】
0003133275.tif 000003
【図２】
0003133275.tif 000004
【図３】
0003133275.tif 000005
【図４】
0003133275.tif 000006
【図５】
0003133275.tif 000007
【図６】
0003133275.tif 000008
【図７】
0003133275.tif 000009